(57)【要約】【課題】従来にない構造により、耐潰れ性を向上した糸を提供する。【解決手段】糸１は、三角形である多角形形状の空洞３が断面の中心部に形成された糸本体１０を備え、糸本体１０は、その外周の断面形状が、空洞３の各辺４−１、４−２、４−３に対向する辺５−１、５−２、５−３を有する三角形である本体部位２と、本体部位２の外周において空洞３の各辺４−１、４−２、４−３の中心部に対向する位置から、外側に向かって突起した突起部位６−１、６−２、６−３とを有し、本体部位２の外周において空洞３の各頂点に対向する位置には、外側に突起した部位が形成されていない。これにより、外側に最も張り出した突起部６−１、６−２、６−３に力が加わったときに、この力を押し戻す力が効果的に発生するようにしている。【選択図】図１
0003231840.tif 000002
【実用新案登録請求の範囲】
【請求項１】
三角形または四角形である多角形形状の空洞が断面の中心部に形成された糸本体を備え、
前記糸本体は、
その外周の断面形状が、前記空洞の各辺に対向する辺を有する多角形形状か、または、前記空洞の中心部を中心とする円である本体部位と、
前記本体部位の外周において多角形形状の前記空洞の各辺の中心部に対向する位置から、外側に向かって突起した突起部位とを有し、
前記本体部位の外周において前記空洞の各頂点に対向する位置には、外側に突起した部位が形成されていない
ことを特徴とする糸。
【請求項２】
前記空洞の断面形状は、三角形であり、
前記本体部位の外周の断面形状は、前記空洞の三辺に対向する３つの辺を有する三角形である
ことを特徴とする請求項１に記載の糸。
【請求項３】
前記空洞の断面形状は、三角形であり、
前記突起部位のそれぞれの断面形状は、前記本体部位の外周において、前記空洞の各辺の中心部に対向する一定の領域を底部とし、前記底部から外側に向かうに従って徐々に小さくなっていく形状である
ことを特徴とする請求項１または２に記載の糸。
【請求項４】
前記突起部位の底部から頭頂部までの長さは、前記空洞の外周と前記本体部位の外周との間に形成される肉厚部の長さと同程度か、これよりも大きく形成されている
ことを特徴とする請求項３に記載の糸。
【請求項５】
前記空洞の断面形状は、四角形であり、
前記本体部位の外周の断面形状は、前記空洞の中心部を中心とする円である
ことを特徴とする請求項１に記載の糸。
【請求項６】
前記空洞の断面形状は、四角形であり、
前記突起部位のそれぞれの断面形状は、前記本体部位の外周において、前記空洞の各辺の中心部に対向する一定の領域を底部とし、前記底部から外側に向かうに従って徐々に小さくなっていく形状である
ことを特徴とする請求項５に記載の糸。
【請求項７】
前記突起部位の底部から頭頂部までの長さは、前記空洞の外周と前記本体部位の外周との間に形成される肉厚部の長さと同程度か、これよりも大きく形成されている
ことを特徴とする請求項６に記載の糸。
【請求項８】
ポリプロピレンの含有率が９５〜９９％であり、ポリプロピレン以外はポリエチレンのみが含有されていることを特徴とする請求項１から７の何れか１項に記載の糸。
【考案の詳細な説明】
【技術分野】
【０００１】
本考案は、カーペット等の繊維製品に用いられる糸に関する。
【背景技術】
【０００２】
従来、カーペットや衣服等の繊維製品に用いられる糸について、断面形状を工夫することによって、所定の性能を向上した糸が提案されている。例えば特許文献１には、外周の断面形状が円である本体部に、断面が三角形の空洞を形成し、耐潰れ性および軽量性を向上した点が記載されている。
【先行技術文献】
【特許文献】
【０００３】
【特許文献１】特開２０１７−１２２２９０号公報
【考案の概要】
【考案が解決しようとする課題】
【０００４】
糸に関しては、その糸が用いられる製品の性質上、糸に耐潰れ性が求められることがある。一例としてカーペットに用いられる糸には、耐潰れ性が求められる。そして従来の糸には、耐潰れ性の向上という点で未だ改良の余地がある。
【０００５】
本考案は、このような問題を解決するために成されたものであり、従来にない構造により、耐潰れ性を向上した糸を提供することを目的とする。
【課題を解決するための手段】
【０００６】
上記した課題を解決するために、本考案に係る糸は、三角形または四角形である多角形形状の空洞が断面の中心部に形成された糸本体を備えており、糸本体は、その外周の断面形状が、空洞の各辺に対向する辺を有する多角形形状か、または、空洞の中心部を中心とする円である本体部位と、本体部位の外周において多角形形状の空洞の各辺の中心部に対向する位置から、外側に向かって突起した突起部位とを有し、本体部位の外周において空洞の各頂点に対向する位置には、突起部位が形成されていない。
【考案の効果】
【０００７】
上記のように構成した本考案によれば、糸には、三角形或いは四角形の空洞が形成されると共に、空洞の各辺に対向するように突起部位が形成される。このため糸に対する外部からの力は、最も外側に張り出した突起部位に対して加わりやすくなる。特に本体部位の外周において空洞の各頂点に対向する位置に、外側に突起した部位が形成されていないため、この点からも、糸の断面において最も外側に張り出した部位が突起部位となり、糸に対する外部からの力は、突起部位に対して加わりやすい。そして突起部位に対して外部から力が加わったときに、各突起部位と空洞の各辺とが対向しているため、外部から力が加わっている突起部位に対向する空洞の辺が中心に向かって撓み、この撓みに応じて外部から加わる力を押し戻そうとする力が効果的に発生する。そしてこの力により、糸に対して外部から力が加わったときの潰れにくさが実現されると共に、外部からの力がなくなったときに糸の形状が直ちに元の形状に戻る高い復帰性が実現されるため、耐潰れ性が高い。
【図面の簡単な説明】
【０００８】
【図１】本考案の第１実施形態に係る糸の断面図である。
【図２】本考案の第１実施形態に係る糸の断面図である。
【図３】本考案の第１実施形態の変形例に係る糸の断面図である。
【図４】本考案の第２実施形態に係る糸の断面図である。
【図５】本考案の第２実施形態の変形例に係る糸の断面図である。
【考案を実施するための形態】
【０００９】
＜第１実施形態＞
以下、本発明の第１実施形態を図面に基づいて説明する。図１は、本実施形態に係る糸１の断面図である。本実施形態に係る糸１は、種々の繊維製品の素材となることが可能であるが、特にカーペットの素材として用いられることが想定されている。
【００１０】
図１で示すように糸１は、糸本体１０を備え、糸本体１０の断面の中心部には、外周の断面形状が三角形である空洞３が形成されている。つまり本実施形態に係る糸１は、糸１が延在する方向に沿って内部に空洞３が形成された中空糸である。
【００１１】
図１で示すように、糸本体１０は、その外周の断面形状が、空洞３の外周の３つの辺４−１、４−２、４−３に対向する３つの辺５−１、５−２、５−３を有する三角形である本体部位２を備えている。本体部位２の３つの辺５−１、５−２、５−３は、外側に膨らむように緩やかに湾曲している。本体部位２の外周の重心と空洞３の外周の重心とは略同一の位置である。
【００１２】
図１で示すように、糸本体１０は、本体部位２の外周において空洞３の各辺４−１、４−２、４−３の中心部に対向する位置から外側に向かって突起した突起部位６−１、６−２、６−３を有する。本体部位２と突起部位６−１、６−２、６−３とは一体的に形成されている。なお本体部位２の外周において空洞３の各頂点に対向する位置には、外側に突起した部位（突起部６−１、６−２、６−３に相当する部位）は形成されていない。突起部位６−１、６−２、６−３のそれぞれは、本体部位２の外周の３つの辺５−１、５−２、５−３において、空洞３の３つの辺４−１、４−２、４−３のそれぞれの中心部に対向する一定の領域を底部７−１、７−２、７−３とし、この底部７−１、７−２、７−３から外側に向かうに従って徐々に小さくなっていく形状をしている。
【００１３】
突起部位６−１、６−２、６−３の底部７−１、７−２、７−３から頭頂部８までの長さＬ１は、空洞３の外周と本体部位２の外周との間に形成される肉厚部９の厚さＬ２よりも大きく形成されている。
【００１４】
以上の構造的特徴により、本実施形態に係る糸１は、高い耐潰れ性を実現する。すなわち突起部位６−１、６−２、６−３を有するという構造的特徴より、糸１に対する外部からの力は、糸１の断面において最も外側に張り出した突起部位６−１、６−２、６−３に対して加わりやすくなる。なお本体部位２の外周において空洞３の各頂点に対向する位置に、外側に突起した部位が形成されていないため、この点からも、糸１の断面において最も外側に張り出した部位が突起部位６−１、６−２、６−３となり、糸１に対する外部からの力は、突起部位６−１、６−２、６−３に対して加わりやすい。そして図２（Ａ）において矢印Ｙ２Ａで示すように、突起部位６−１に対して糸１の中心に向かう力（外圧）が加わった場合、以下の現象が生じる。
【００１５】
すなわち「糸１の中心部に外周が三角形の空洞３が形成され、かつ、空洞３の３つの辺４−１、４−２、４−３のそれぞれの中心部に対向するように突起部位６−１、６−２、６−３が形成されている」という構造的特徴により、図２（Ｂ）で示すように、突起部位６−１が形成された本体部位２の外周の辺５−１と、突起部位６−１に対向する空洞３の辺４−１が、力の向き（矢印Ｙ２Ａが示す向き）に従って撓む。すると辺５−１と辺４−１との撓みに応じて、肉厚部９の辺５−１と辺４−１とで囲まれた部位が図２（Ｂ）で示す態様で変形し、矢印Ｙ２Ｂで示すように、外部から加わる力を押し戻そうとする力（糸１の形状を復元しようとする復元力）が効果的に発生する。この力が耐潰れ性となって現出し、糸１に対して外部から力が加わったときの潰れにくさを実現し、また、外部からの力がなくなったとき、糸１の形状が直ちに元の形状に戻る高い復帰性を実現する。
【００１６】
更に糸１の内部には外周が三角形の空洞３が形成されると共に、突起部位６−１、６−２、６−３を備えている。これにより糸１がカーペットの素材として用いられたときに特に以下の効果を奏する。すなわち、糸１を用いてカーペットが製造される場合、代表的な方法としては、糸１が、パイルとして下地（基布）に差し込まれる（植え付けられる）ことによって、カーペットが製造される。このようにして製造されたカーペットについては、糸１により構成されたパイルの基端部分（下地に近い部分）に埃や塵が入り込んだり、汚れが付着したりすることがある。そして本実施形態によれば、カーペットの表面に光を当てたときに、三角形の空洞３、および、突起部位６−１、６−２、６−３の機能によって、糸１を通る光（つまり、下地に向かう光）が複雑に屈折し、糸１の表面に埃や汚れが付着していても、それらが目立ちにくく、カーペットの外観性が高く、しかも外観性の高さが長く継続する。
【００１７】
特に本実施形態では、三角形の空洞３の各辺４−１、４−２、４−３に対向して突起部位６−１、６−２、６−３が形成されており、このことが空洞３の各辺４−１、４−２、４−３に略垂直に光が進入することを妨げ、糸１を通る光の複雑な屈折を効果的に実現し、より高い外観性を実現する。なお突起部位６−１、６−２、６−３がない場合や、突起部位６−１、６−２、６−３に代えて、三角形の空洞３の各頂点に対向する位置に突起した部位が設けられている場合と比較して、外観性が高い（表面の埃や汚れが目立ちにくい）ことは実験的に確かめられている。
【００１８】
更に本実施形態に係る糸１は、捲縮加工を行うことによって、かさ高の良好性、伸縮性および弾力性を増した捲縮加工糸とすることができる。その際、突起部位６−１、６−２、６−３がない場合と比較して、糸の断面積が大きくなり、曲げ加工がしやすく、また、折り目がつきやすい。
【００１９】
更に本実施形態に係る糸１は、ポリプロピレンの含有率が９５〜９９％であり、ポリプロピレン以外はポリエチレンのみが含有されている。一例として、糸１は、ポリプロピレンが９８％含有され、かつポリエチレンが２％含有されて構成されている。
【００２０】
ここでポリプロピレン（プロピレンの多数重合）は、比重が「０．９」程度と、樹脂の中で比較的、軽量であるという性質がある（軽量性）。またポリプロピレンは、樹脂の中で比較的固く丈夫であり（強靭性）、傷がつきにくい（耐摩耗性）という性質がある。またポリプロピレンは、吸水性が低い（低吸水性）という性質がある。
【００２１】
またポリエチレン（エチレンの多数重合）は、ポリプロピレンよりは重いものの、比重が「０．９５」程度の軽量であり（軽量性）、かつ、吸水性が低い（低吸水性）という性質がある。またポリエチレンは、ポリプロピレンと比較して柔らかいものの耐衝撃性が高いという性質がある。
【００２２】
そして本実施形態に係る糸１は、ポリプロピレンが主成分であるため、ポリプロピレンの軽量性、強靭性、耐摩耗性および低吸水性を有する。そしてポリプロピレンに、少量のポリエチレンが配合されることにより、ポリプロピレンの軽量性および低吸水性が阻害されることなく、ポリプロピレンの強靭性と耐摩耗性とが補われ、製品寿命が延ばされると共に、耐久性が高められている。
【００２３】
なお糸１の成分配合についてポリプロピレンを９９〜９５％の含有率とし、それ以外をポリエチレンとすることにより、上述した各種性質をバランスよく実現でき、特にカーペットの素材として優れたものとすることが可能であることは、発明者らの実験により確かめられた事項である。
【００２４】
＜第１実施形態の変形例＞
次に第１実施形態の変形例について説明する。以下では、第１実施形態の変形例について断面図を示すと共に、第１実施形態との相違点を主に説明する。また第１実施形態と同一形状の要素については同一の符号を付し、詳細な説明を省略する。
【００２５】
図３（Ａ）は１つ目の変形例に係る糸１Ａを示す図である。図３（Ａ）で示すように、糸本体１０Ａの本体部２Ａの外周の各辺５Ａ−１、５Ａ−２、５Ａ−３が、湾曲せずまっすぐに延在する構成でもよく、また、本体部２Ａの外周の頂点が第１実施形態と比較してよりシャープな形状でもよい。
【００２６】
図３（Ｂ）は２つ目の変形例に係る糸１Ｂを示す図である。図３（Ｂ）で示すように、糸本体１０Ｂの本体部２Ｂの外周の断面形状が、空洞３の中心部を中心とする円であってもよい。
【００２７】
その他、第１実施形態では、突起部位６−１、６−２、６−３の底部７−１、７−２、７−３から頭頂部８までの長さＬ１は、空洞３の外周と本体部２の外周との間に形成される肉厚部９の厚さＬ２よりも大きく形成されていたが、長さＬ１と、厚さＬ２とを同程度としてもよい。
【００２８】
＜第２実施形態＞
次に第２実施形態について説明する。図４は、本実施形態に係る糸１Ｃの断面図である。本実施形態に係る糸１Ｃは、第１実施形態と同様、種々の繊維製品の素材となることが可能であるが、特にカーペットの素材として用いられることが想定されている。
【００２９】
図４で示すように糸１Ｃは、糸本体１０Ｃを備え、糸本体１０Ｃの中心部には、外周の断面形状が四角形の空洞３Ｃが形成されている。つまり本実施形態に係る糸１Ｃは、糸１Ｃが延在する方向に沿って内部に空洞３Ｃが形成された中空糸である。空洞３Ｃの４つの辺４Ｃ−１、４Ｃ−２、４Ｃ−３、４Ｃ−４は、糸１Ｃ断面の中心に向かって緩やかに湾曲している。
【００３０】
図４で示すように糸本体１０Ｃは、その外周の断面形状が、空洞３Ｃの中心部を中心とする円である本体部位２Ｃを備えている。図４で示すように糸本体１０Ｃは、本体部位２Ｃの外周において四角形の空洞３Ｃの４つの辺４Ｃ−１、４Ｃ−２、４Ｃ−３、４Ｃ−４のそれぞれの中心部に対向する位置から、外側に向かって突起した突起部位６Ｃ−１、６Ｃ−２、６Ｃ−３、６Ｃ−４を有している。本体部位２Ｃと突起部位６Ｃ−１、６Ｃ−２、６Ｃ−３、６Ｃ−４とは一体的に形成されている。
【００３１】
突起部位６Ｃ−１、６Ｃ−２、６Ｃ−３、６Ｃ−４のそれぞれは、本体部位２Ｃの外周において、空洞３Ｃの４つの辺４Ｃ−１、４Ｃ−２、４Ｃ−３、４Ｃ−４の中心に対向する一定の領域を底部７Ｃ−１、７Ｃ−２、７Ｃ−３、７Ｃ−４とし、この底部７Ｃ−１、７Ｃ−２、７Ｃ−３、７Ｃ−４から外側に向かうに従って徐々に小さくなっていく形状をしている。
【００３２】
突起部位６Ｃ−１、６Ｃ−２、６Ｃ−３、６Ｃ−４の底部７Ｃ−１、７Ｃ−２、７Ｃ−３、７Ｃ−４から頭頂部８Ｃまでの長さＬ３は、空洞３Ｃの外周と本体部位２Ｃの外周との間に形成される肉厚部９Ｃの厚さＬ４と同程度とされている。ただし、長さＬ３を厚さＬ４よりも大きく構成してもよい。
【００３３】
また糸１Ｃは、第１実施形態と同様、ポリプロピレンの含有率が９５〜９９％であり、ポリプロピレン以外はポリエチレンのみが含有されている。
【００３４】
第２実施形態では、第１実施形態と同様、本体部位２Ｃに外周が多角形形状の空洞３Ｃが形成されており、本体部位２Ｃの外周において、空洞３Ｃの外周の各辺４Ｃ−１、４Ｃ−２、４Ｃ−３、４Ｃ−４の中心に対向する位置に、外側に突起した突起部位６Ｃ−１、６Ｃ−２、６Ｃ−３、６Ｃ−４が形成されており、この構造的特徴に由来して、耐潰れ性、外観性、曲げ加工時の加工容易性が実現されている。また、成分配合に由来して、軽量性、強靭性、耐摩耗性、低吸水性、長寿命性および耐久性が実現されている。
【００３５】
＜第２実施形態の変形例＞
次に第２実施形態の変形例について説明する。以下では第２実施形態の変形例について断面図を示すと共に、第２実施形態との相違点を主に説明する。また第２実施形態と同一の形状の要素については同一の符号を付し、詳細な説明を省略する。
【００３６】
図５（Ａ）は１つ目の変形例に係る糸１Ｄを示す図である。図５（Ａ）で示すように、糸本体１０Ｄの本体部位２Ｄの外周が、四角形の空洞３Ｃの４つの辺４Ｃ−１、４Ｃ−２、４Ｃ−３、４Ｃ−４に対向し、４つの辺４Ｃ−１、４Ｃ−２、４Ｃ−３、４Ｃ−４に沿って緩やかに湾曲して延びる４つの辺５Ｄ−１、５Ｄ−２、５Ｄ−３、５Ｄ−４を有する四角形形状でもよい。その際に４つの辺５Ｄ−１、５Ｄ−２、５Ｄ−３、５Ｄ−４を緩やかに湾曲させず、まっすぐ延在させる構成でもよい。
【００３７】
図５（Ｂ）は２つ目の変形例に係る糸１Ｅを示す図である。図５（Ｂ）で示すように、糸本体１０Ｅの空洞３Ｅの外周の辺４Ｅ−１、４Ｅ−２、４Ｅ−３、４Ｅ−４が、糸１Ｅの中心に向かって湾曲せず、まっすぐに延在する構成でもよい。
【００３８】
以上、本発明の実施形態を説明したが、上記各実施形態はいずれも本発明を実現するにあたっての具体化の一例を示したものに過ぎず、これによって本発明の技術的範囲が弦敵的に解釈されてはならないものであある。すなわち、本発明はその要旨、またはその主要な特徴から逸脱することなく、様々な形で実施することができる。
【符号の説明】
【００３９】
１、１Ａ、１Ｂ、１Ｃ、１Ｄ、１Ｅ  糸
２、２Ａ、２Ｂ、２Ｃ、２Ｄ  本体部位
３、３Ｃ  空洞
４−１、４−２、４−３、４Ｃ−１、４Ｃ−２、４Ｃ−３、４Ｃ−４、４Ｅ−１、４Ｅ−２、４Ｅ−３、４Ｅ−４  空洞の辺
５−１、５−２、５−３、５Ａ−１、５Ａ−２、５Ａ−３、５Ｄ−１、５Ｄ−２、５Ｄ−３、５Ｄ−４  本体部の辺
６−１、６−２、６−３、６Ｃ−１、６Ｃ−２、６Ｃ−３、６Ｃ−４、  突起部
７−１、７−２、７−３、７Ｃ−１、７Ｃ−２、７Ｃ−３、７Ｃ−４  底部
８、８Ｃ  頭頂部
９、９Ｃ  肉厚部
１０、１０Ａ、１０Ｂ、１０Ｃ、１０Ｄ、１０Ｅ  糸本体
【図１】
0003231840.tif 000003
【図２】
0003231840.tif 000004
【図３】
0003231840.tif 000005
【図４】
0003231840.tif 000006
【図５】
0003231840.tif 000007